(57)【要約】  本発明は、複数の並列接続された直流電圧変換器モジュールを備えた直流電圧コンバータの制御に関する。ここで、全ての直流電圧変換器モジュールを制御するために、電圧制御のための共通の量が形成される。さらに、各直流電圧変換器モジュールに対し、別々の電流調整器が設けられる。各直流電圧変換器モジュールに対し、個別に算出された電流調整、および共通で算出された電圧調整から制御量を形成することができる。
2019530426.tif 000002
【特許請求の範囲】
【請求項１】
複数の直流電圧変換器モジュール（４−ｉ）を備えた直流電圧コンバータの制御装置であって、
第１の制御量（φ＿１）を、前記直流電圧コンバータの出力電圧の閾値（Ｕ＿ｄｅｓ）、および前記直流電圧コンバータの入力電圧の値（Ｕ＿ｉｎ）に基づいて生成するよう構成された先行制御装置（１）と、
第２の制御量（φ＿２）を、前記直流電圧コンバータの出力電圧の閾値（Ｕ＿ｄｅｓ）、および前記直流電圧コンバータの出力電圧の算出値（Ｕ＿ｃｕｒ）に基づいて生成するよう構成された電圧調整器（２）と、
複数の電流調整器（３−ｉ）と、を備え、
それぞれ１つの直流電圧変換器モジュール（４−ｉ）に電流調整器（３−ｉ）が対応付けられており、
前記電流調整器（３−ｉ）はそれぞれ、
それぞれ対応付けられた前記直流電圧変換器モジュール（４−ｉ）用の第３の制御量（φ＿３＿ｉ）を、それぞれ対応付けられた前記直流電圧変換器モジュール（４−ｉ）内の電流の閾値（ｌ＿ｄｅｓ＿ｉ）、およびそれぞれ対応付けられた前記直流電圧変換器モジュール（４−ｉ）内の電流の算出値（ｌ＿ｉ）に基づいて生成し、
それぞれ対応付けられた前記直流電圧変換器モジュール（４−ｉ）には、前記第１の制御量（φ＿１）、前記第２の制御量（φ＿２）、およびそれぞれ対応付けられた前記直流電圧変換器モジュール（４−ｉ）の前記第３の制御量（φ＿３＿ｉ）の組み合わせを提供する
ように構成された、
直流電圧コンバータの制御装置。
【請求項２】
前記先行制御装置（１）は、前記直流電圧変換器モジュール（４−ｉ）内の電流に対する算出値（ｌ＿ｉ）を用いて前記第１の制御量（φ＿１）を生成するように構成された、請求項１に記載の制御装置。
【請求項３】
前記先行制御装置（１）は、前記第１の制御量（φ＿１）の値を、所定の最大値（φ＿ｍａｘ）、および／または所定の最小値（φ＿ｍｉｎ）に制限するように構成された、請求項１または２に記載の制御装置。
【請求項４】
前記電圧調整器（２）は、全ての電流調整器（３＿ｉ）が非ゼロの第３の制御量（φ＿３＿ｉ）を生成する場合に、前記第２の制御量（φ＿２）の値の範囲を制限するように構成された、請求項１〜３のいずれか一項に記載の制御装置。
【請求項５】
前記第１の制御量（φ＿１）、前記第２の制御量（φ＿２）および前記第３の制御量（φ＿３＿ｉ）は、それぞれデューティ比を特定するための位相角を含む、請求項１〜４のいずれか一項に記載の制御装置。
【請求項６】
入力直流電圧（Ｕ＿ｉｎ）を、出力直流電圧に変換するように構成された複数の直流電圧変換器モジュール（４−ｉ）と、
請求項１〜５のいずれか一項に記載の制御装置と
を備えた直流電圧コンバータであって、
前記直流電圧コンバータの各直流電圧変換器モジュール（４−ｉ）に対して、前記制御装置に別々の電流調整器（３−ｉ）が設けられる、
直流電圧コンバータ。
【請求項７】
前記直流電圧変換器モジュール（４−ｉ）は、双方向の直流電圧変換を実施するように構成された、請求項６に記載の直流電圧コンバータ。
【請求項８】
複数の直流電圧変換器モジュール（４−ｉ）を備える直流電圧コンバータの制御方法であって、
前記直流電圧コンバータの出力電圧の閾値（Ｕ＿ｄｅｓ）と、前記直流電圧コンバータの入力電圧の値（Ｕ＿ｉｎ）とに基づいて第１の制御量（φ＿１）を生成するステップ（Ｓ１）と、
前記直流電圧コンバータの前記出力電圧の閾値（Ｕ＿ｄｅｓ）と、前記直流電圧コンバータの前記出力電圧の算出値（Ｕ＿ｃｕｒ）とに基づいて第２の制御量（φ＿２）を生成するステップ（Ｓ２）と、
複数の第３の制御量（φ＿３＿ｉ）を生成するステップであって、各第３の制御量（φ＿３＿ｉ）は、直流電圧変換器モジュール（４−ｉ）に対応付けられ、前記それぞれの直流電圧変換器モジュール（４−ｉ）に対する前記第３の制御量（φ＿３＿ｉ）は、それぞれ対応付けられた前記直流電圧変換器モジュール（４−ｉ）における電流の閾値（ｌ＿ｄｅｓ＿ｉ）と、それぞれ対応付けられた前記直流電圧変換器モジュール（４−ｉ）における電流の算出値（ｌ＿ｉ）に基づいて生成される、ステップ（Ｓ３）と、
前記第１の制御量（φ＿１）、前記第２の制御量（φ＿２）、およびそれぞれ対応付けられた前記直流電圧変換器モジュール（４−ｉ）の前記第３の制御量（φ＿３＿ｉ）の組み合わせによって、前記直流電圧変換器モジュール（４−ｉ）を駆動制御するステップ（Ｓ４）と、
を含む、方法。
【請求項９】
前記第１の制御量（φ＿１）、前記第２の制御量（φ＿２）、および前記それぞれの第３の制御量（φ＿３＿ｉ）の前記組み合わせは、前記第１の制御量（φ＿１）、前記第２の制御量（φ＿２）、および前記それぞれの第３の制御量（φ＿３＿ｉ）の合計から形成される、請求項８に記載の方法。
【発明の詳細な説明】
【技術分野】
【０００１】
本発明は、直流電圧コンバータの制御装置、およびそのような制御装置を備える直流電圧コンバータに関する。さらに、本発明は、直流電圧コンバータの制御方法に関する。特に、本発明は、複数の直流電圧変換器モジュールを備える直流電圧コンバータの制御に関する。
【背景技術】
【０００２】
直流電圧変換器は、入力側で供給された直流電圧を、さらなる直流電圧に変換するために使用される。この時、変換された直流電圧は、例えば、入力側から供給される直流電圧とは電圧レベルが異なる場合がある。電力を増加させるために、複数の直流電圧変換器を並列接続することができる。そのような複数の直流電圧変換器の並列接続では、例えば、マスタスレーブ動作が可能である。ここで、マスタ直流電圧変換器は、出力側のシステム全体における電圧制御を引き受ける。１つまたは複数の直流電圧変換器が、マスタ制御される出力電力を増加させるための電流源として寄与する。
【０００３】
欧州特許第１１４３５９１号明細書の文献は、直流電圧変換器の並列動作を制御するための方法および装置を開示しており、直流電圧変換器のうちの１つがマスタ機能を実行し、他の直流電圧変換器がスレーブ機能を実行する。ここで、マスタ直流電圧変換器は電圧制御を実施し、一方、他の直流電圧変換器は電流源として動作する。
【発明の概要】
【発明が解決しようとする課題】
【０００４】
本発明は、請求項１の特徴を有する直流電圧コンバータの制御装置と、請求項６の特徴を有する直流電圧コンバータと、請求項８の特徴を有する直流電圧コンバータの制御方法を開示する。
【課題を解決するための手段】
【０００５】
本発明は、以下の通りである。
複数の直流電圧変換器モジュールを備える直流電圧コンバータの制御装置。この制御装置は、先行制御装置と、電圧調整器と、複数の電流調整器とを含む。特に、制御装置内の電流調整器の数は、直流電圧コンバータ内の直流電圧変換器モジュールの数に対応する。先行制御装置は、第１の制御量を生成するように構成されている。第１の制御量は、先行制御装置によって、直流電圧変換器の出力電圧の閾値、および直流電圧コンバータの入力電圧の値に基づいて生成される。電圧調整器は、第２の制御量を生成するように構成されている。第２の制御量は、直流電圧コンバータの出力電圧の閾値、および直流電圧コンバータの出力電圧の算出値に基づいて生成される。複数の電流調整器のそれぞれは、直流電圧変換器モジュールのうちの１つに対応付けられている。ここで、電流調整器はそれぞれ、それぞれ対応付けられた直流電圧変換器モジュール用の第３の制御量を生成するように構成されている。第３の制御量は、それぞれ対応付けられた直流電圧変換器モジュール内の電流の閾値、およびそれぞれ対応付けられた直流電圧変換器モジュール内の電流の算出値に基づいて生成される。続いて、それぞれ対応付けられた直流電圧変換器モジュールには、先行制御装置からの第１の制御量、電圧調整器からの第２の制御量、およびそれぞれ対応付けられた直流電圧変換器モジュールからの第３の制御量の組み合わせを提供することができる。特に、この組み合わせは、第１の制御量、第２の制御量、およびそれぞれの第３の制御量の合計を含むことができる。
【０００６】
また、以下の通りである。
複数の直流電圧変換器モジュールを備える直流電圧コンバータ、および本発明にかかる制御装置。ここで、複数の直流電圧変換器モジュールのそれぞれは、入力直流電圧を、出力直流電圧に変換するように構成されている。
【０００７】
さらに、以下の通りである。
複数の直流電圧変換器モジュールを備える直流電圧コンバータの制御方法。この方法は、第１の制御量を生成するステップを含む。第１の制御量は、直流電圧コンバータの出力電圧の閾値、および直流電圧コンバータの入力電圧の値に基づいて生成される。この方法は、さらに、第２の制御量を生成するステップを含む。第２の制御量は、直流電圧コンバータの出力電圧の閾値、および直流電圧コンバータの出力電圧の算出値に基づいて生成される。この方法は、さらに、第３の制御量を生成するステップを含む。ここで、直流電圧コンバータの各直流電圧変換器モジュールに対して、別々の第３の制御量を生成することができる。この第３の制御量のそれぞれは、直流電圧変換器モジュールに対応付けられている。それぞれ対応付けられた直流電圧変換器モジュールの第３の制御量は、それぞれ対応付けられた直流電圧変換器モジュール内の電流の閾値、およびそれぞれ対応付けられた直流電圧変換器モジュール内の電流の算出値に基づいて生成される。最後に、この方法は、対応する直流電圧変換器モジュールに対応付けられた第１の制御量、第２の制御量、およびそれぞれの第３の制御量の組み合わせを用いて、複数の直流電圧変換器モジュールを駆動制御するステップを含む。第１、第２および第３の制御量の組み合わせは、例えば制御量の合計によって算出することができる。
【発明の効果】
【０００８】
本発明は、並列接続において、複数の直流電圧変換器がシステム全体の出力電圧を調整しなければならないだけでなく、各並列接続された直流電圧変換器に対して、過負荷が発生しないことを保証しなければならないという知識に基づいている。特に、構成要素を保護し、耐用年数を最適化するために、並列接続された直流電圧変換器のいずれにおいても、過剰な高電流などによる過負荷が行われないことを確実にする必要がある。
【０００９】
したがって、本発明は、この知識を考慮し、並列接続された複数の直流電圧変換器モジュールのそれぞれに対して、個別の電流調整を行うことができる直流電圧コンバータを提供するという考えに基づいている。ここで、特に、まず複数の直流電圧変換器モジュールを並列接続するために、可能な限り共通の制御パラメータを算出することが提供される。続いて、それら、全ての直流電圧変換器モジュールに関連する制御パラメータは、それぞれの直流電圧変換器モジュールにおいて電流を適合させるために、各直流電圧変換器モジュールについて個別に決定された制御パラメータとさらに重ね合わせることができる。このようにして、個々の直流電圧変換器モジュールの、特に効率的で、同時に個別の制御を行うことができる。
【００１０】
基本的な制御は、一方では全ての直流電圧変換器モジュールに対して一元的に算出された制御パラメータに基づいて行われ、さらに他方では、個別の直流電圧変換器モジュール毎に追加の制御パラメータが重ね合わされるため、このように、複数の並列接続された直流電圧変換器モジュールの非常に良好な拡張性のある制御を達成することができる。特に、直流電圧変換器モジュールの各々に対して、非常に安価に実現することができる、比較的容易に実現可能な電流制御を提供するだけでよい。出力電圧を制御するための他の制御パラメータは、システム全体に対して一度決定するだけでよい。このため、システム全体の特にコンパクトで安価な構成がもたらされる。
【００１１】
一つの実施形態によれば、直流電圧コンバータ用の制御装置の先行制御は、直流電圧変換器モジュール内の電流に対して算出された値を用いて、第１の制御量をさらに生成するように構成されている。このため、例えば、各直流電圧変換器モジュール内のセンサを用いて、および／または適切なモデル化によって、各直流電圧変換器モジュールの電力経路内の電流を算出することができる。その後、これらの算出された電流は、先行制御によって評価することができる。例えば、算出された電流に基づいて、直流電圧変換器モジュール内で起こり得る、制御によって補償されるべき電圧降下を決定することができる。
【００１２】
一つの実施形態によれば、先行制御は、第１の制御量の値を所定の最大値、および／または所定の最小値に制限するように構成されている。最大値または最小値のそのような制限によって、直流電圧変換器モジュールが、常に許容の、および／または最適な動作範囲内で駆動制御されることを確実にすることができる。
【００１３】
一つの実施形態によれば、制御装置の電圧調整器は、全ての電流調整器が非ゼロの第３の制御量を生成する場合に、第２の制御量の値の範囲を制限するように構成されている。このようにして、電圧調整器による制御が、電流制御器による制御に対立しないことを確実にすることができる。このために、例えば、電流調整器が非ゼロの制御量を出力し、ひいては現在アクティブであることを示す出力信号を各電流調整器から供給することができる。全ての電流制御器からの出力信号をリンクすることにより、全ての電流制御器が現在アクティブであり、かつ非ゼロの制御量を出力するかについて決定することができる。この場合、電圧調整器の制御量は、電圧調整器がアクティブな電流調整器と同じ方向の制御のみを行うように制限することができる。このようにして、電圧調整器および電流調整器の反対の制御を防ぐことができる。
【００１４】
一つの実施形態によれば、第１の制御量、第２の制御量および第３の制御量は、それぞれデューティ比を特定するための位相角を含む。このような制御量は、特にパルス幅変調などに基づいて動作する直流電圧変換器の制御に非常に適している。
【００１５】
直流電圧コンバータの一つの実施形態によれば、直流電圧コンバータは、双方向の直流電圧変換を実施するように構成された直流電圧変換器モジュールを含む。この場合、制御装置は、動作に応じて直流電圧コンバータの双方向制御を行うこともできる。
【００１６】
直流電圧コンバータの制御方法の一つの実施形態によれば、第１の制御量、第２の制御量およびそれぞれの第３の制御量の組み合わせは、第１の制御量、第２の制御量およびそれぞれの第３の制御量の合計を含む。特に、これら３つの制御量の合計によって、それぞれの直流電圧変換器モジュールの制御に適した共通の制御量を、容易な方法で形成することができる。
【図面の簡単な説明】
【００１７】
本発明は、以下に、図面の概略図に示される実施例を用いて詳述される。
【図１】一つの実施形態にかかる制御装置を備えた直流電圧コンバータの概略図である。
【図２】一つの実施形態にかかる先行制御のための調整器構造の概略図である。
【図３】一つの実施形態にかかる電圧調整器のための調整器構造の概略図である。
【図４】一つの実施形態にかかる電流調整器のための調整器構造の概略図である。
【図５】一つの実施形態に基づいた、直流電圧コンバータの制御方法のフローチャートの概略図である。
【発明を実施するための形態】
【００１８】
図１は、一つの実施形態にかかる直流電圧コンバータの概略図を示す。直流電圧コンバータは、複数の直流電圧変換器モジュール４−ｉを含む。全ての直流電圧変換器モジュール４−ｉは、入力側で並列に入力電圧Ｕ＿ｉｎが供給される。出力側では、直流電圧変換器モジュール４−ｉが同様に並列接続されており、出力電圧Ｕ＿ｃｕｒを供給する。直流電圧変換器モジュール４−ｉは、入力直流電圧を出力直流電圧に変換する、いわゆるＤＣ／ＤＣ変換器でもよい。ここで、特に、双方向動作を許容する、すなわち、直流電圧変換器モジュールが、第１の側で供給される直流電圧を、第２の側で供給される直流電圧に変換する、または、第２の側で供給される直流電圧を、この場合第１の側で供給される直流電圧に変換することができる直流電圧変換器モジュール４−ｉも可能である。直流電圧変換器モジュール４−ｉは、入力側で供給される直流電圧をより高い出力電圧に変換する、および／または入力側で供給される直流電圧を、入力側で供給される直流電圧より低い直流電圧に変換する直流電圧変換器モジュールであり得る。
【００１９】
並列接続された直流電圧変換器モジュール４−ｉは、複数の同一の、または同様の直流電圧変換器モジュールであり得る。しかし、それに加えて、いくつかの、または場合によっては全ての並列接続された直流電圧変換器モジュール４−ｉが、異なるように構成されることも可能である。特に、異なる最大電力を有する直流電圧変換器モジュール４−ｉを並列に接続することも可能である。
【００２０】
個々の直流電圧変換器モジュール４−ｉを制御するために、各直流電圧変換器モジュール４−ｉに制御信号を供給することができる。この制御信号は、例えば、それぞれの直流電圧変換器モジュール４−ｉの動作に影響を及ぼす制御量であり得る。例えば、個々の直流電圧変換器モジュール４−ｉ内での駆動制御が、パルス幅変調によって行われた場合、制御信号の制御量によってパルス幅変調のためのデューティ比を調整することができる。特に、例えば制御量として、パルス幅変調に対して調整されるべきデューティ比を予め設定する位相角を供給することができる。以下に、このような制御量を個々の直流電圧変換器モジュール４−ｉに供給するための調整器の構造を説明する。
【００２１】
個々の直流電圧変換器モジュール４−ｉを制御するための制御量を生成するために、３つの別々に生成された制御量が互いに組み合わされる。ここで、第１の制御量φ＿１は、先行制御装置１によって、入力側に印加される入力電圧に対する値Ｕ＿ｉｎと、出力側で供給されるべき直流電圧に対する閾値Ｕ＿ｄｅｓとを用いて生成される。さらに、電圧調整器２は、出力側で供給されるべき電圧の閾値Ｕ＿ｄｅｓと、出力側で供給される直流電圧の実際値Ｕ＿ｄｅｓとの偏差に基づいて、第２の制御量φ＿２を生成する。ここで、直流電圧コンバータ全体に対して、１つの先行制御装置１と１つの電圧調整器２のみを設けることができる。したがって、全ての直流電圧変換器モジュール４−ｉに対して、同一の第１および第２の制御量φ＿１、φ＿２が使用される。この第１の制御量φ＿１と第２の制御量φ＿２とに基づいて、閾値Ｕ＿ｄｅｓと、実際の出力電圧の値Ｕ＿ｃｕｒとの間に生じ得る偏差を補償することができる。
【００２２】
さらに、各直流電圧変換器モジュール４−ｉについて、さらなる第３の制御量φ＿３＿ｉが生成される。このために、各直流電圧変換器モジュール４−ｉに、別々の電流調整器３−ｉが設けられる。ここで、電流調整器３−ｉは、対応する直流電圧変換器モジュール４−ｉ内の電流に対する所定の閾値ｌ＿ｄｅｓ＿ｉと、対応する直流電圧変換器モジュール４−ｉ内の電流の現在値ｌ＿ｉとの間の偏差に基づいて第３の制御量φ＿３＿ｉを生成する。考慮すべき電流は、直流電圧変換器モジュール４−ｉの電力経路内の電流であってよい。基本的に、例えば、入力側端子、出力側端子、または直流電圧変換器モジュール４−ｉの電力経路内の任意の点における電流の検出が可能である。ここで考慮すべき電流は、電流センサによって検出されることが好ましい。しかし、基本的に、直流電圧変換器モジュール４−ｉ内の電流のモデルベースの計算も可能である。
【００２３】
直流電圧変換器モジュール４−ｉ内の実際の電流ｌ＿ｉが、それぞれの所定の閾値ｌ＿ｄｅｓ＿ｉに対応する場合、それぞれの電流調整器３−ｉは、一元的に算出された第１の制御量φ＿１および第２の制御量φ＿２の適合を行わない。実際の電流値ｌ＿ｉが、それぞれの閾値ｌ＿ｄｅｓ＿ｉから逸脱している場合、対応付けられた直流電圧変換器モジュール４−ｉを通る電流を適合させるために、対応する電流調整器３−ｉによって対応する第３の制御量φ＿３＿ｉを出力することができる。特に、実際の電流ｌ＿ｉがそれぞれの閾値ｌ＿ｄｅｓ＿ｉより大きい場合、対応する第３の制御量φ＿３＿ｉを供給することにより、対応付けられた直流電圧変換器モジュール４−ｉを通る電流を低下させることができる。このようにして、例えば、直流電圧変換器モジュール４−ｉを通る最大電流を制限することができる。さらに、例えば直流電圧変換器モジュール４−ｉ内の温度が上昇した場合、対応する直流電圧変換器モジュール４−ｉのさらなる温度上昇、および場合によっては損傷または故障を防止するために、対応する直流電圧変換器モジュール４−ｉを通る電流を制限または低下させることも可能である。
【００２４】
さらに、直流電圧変換器モジュール４−ｉ内の対応する電流の閾値ｌ＿ｄｅｓ＿ｉを設定することにより、任意の設定に応じた電流、ひいては電力を調整することも可能である。例えば、並列配置された全ての直流電圧変換器モジュール４−ｉに、均等分布を設定することができる。また、上述のように、必要に応じてその他のパラメータに基づいて、直流電圧変換器モジュール４−ｉ内の１つまたは複数における電流、ひいては電力を低下させることも可能である。また、複数の異なる直流電圧変換器モジュール４−ｉを並列接続することも可能である。この場合、電流のそれぞれの閾値ｌ＿ｄｅｓ＿ｉを設定することによって、異なる直流電圧変換器モジュール４−ｉへの対応する適合を調整することができる。特に、複数の異なる直流電圧変換器モジュール４−ｉにおいて、個々の直流電圧変換器モジュール４−ｉを、それぞれ同一の制御レベルで動作させることができる。つまり、全ての並列接続された直流電圧変換器モジュール４−ｉが、それらの最大電力に関して少なくともほぼ一様に駆動制御される。さらに、並列接続された直流電圧変換器モジュール４−ｉを駆動制御するための、他の任意の分布も可能である。
【００２５】
図２は、一つの実施形態にかかる制御装置のための先行制御装置１の調整器構造の概略図を示す。先行制御装置１は、まず直流電圧コンバータの直流電圧変換器モジュール４−ｉに対する基本制御量を表す第１の制御値φ＿１を生成する。この第１の制御量φ＿１は、特に、直流電圧コンバータの閾値Ｕ＿ｄｅｓと、直流電圧コンバータの入力電圧Ｕ＿ｉｎの値とを用いて生成される。さらに、先行制御装置１は、個々の直流電圧変換器モジュール４−ｉの電流を評価することも可能である。直流電圧変換器モジュール４−ｉにおけるこれらの電流ｌ＿ｉに基づいて、直流電圧変換器モジュール４−ｉの構成要素内の電圧降下をモジュール１４において算出し、第１の制御量φ１を決定する際に考慮することができる。これらのパラメータ、特に出力電圧の閾値Ｕ＿ｄｅｓ、入力電圧の値Ｕ＿ｉｎ、および場合によっては直流電圧変換器モジュール４−ｉを通る電流ｌ＿ｉから、制御装置１０において、まず制御量φ＿ｐｒｅを計算することができる。また、この制御量φ＿ｐｒｅは場合によって、制限要素１１および１２により最小値φ＿ｍｉｎおよび／または最大値φ＿ｍａｘに制限することもできる。こうして先行制御装置１は、出力として第１の制御量φ＿１を供給する。
【００２６】
図３は、一つの実施形態にかかる制御装置の電圧調整器２のための調整器構造の概略図を示す。電圧調整器２は、まず実際の電圧Ｕ＿ｃｕｒを、出力電圧の閾値Ｕ＿ｄｅｓと比較する。これら２つの値の差は、制御装置、例えばＰＩＤ制御装置への入力値を表す。しかし用途によっては、ＰＩＤ制御装置とは異なる制御装置も使用することができる。また、この制御装置２０は、算出されるべき第２の制御量φ＿２の最大値、および最小値に対する設定値も考慮することができる。特に、例えば、最大値φ＿ｍａｘと、第１の制御量φ＿１との差を、第２の制御量φ＿２の最大値として設定することができる。第２の制御量φ＿２の最小値は、例えば、制御量φ＿１の負の値として設定することができる。ひいては、極端な場合には、電圧調整器２は第１の制御量φ＿１を完全に補償することができる。電圧調整器２は、出力信号として第２の制御量φ＿２を供給する。
【００２７】
図４は、一つの実施形態にかかる制御装置の電流調整器３−ｉのための調整器構造の概略図を示す。電流調整器３−ｉは、まず、対応付けられた直流電圧変換器モジュール４−ｉにおける電流の閾値ｌ＿ｄｅｓ＿ｉと、対応する直流電圧変換器モジュール４−ｉにおける電流ｌ＿ｉの実際値との差を形成する。この差は、電流調整器３−ｉによって算出された第３の制御量φ＿３＿ｉの出力値を形成する。例えば、この差は制御装置３０、特に例えばＰＩＤ制御装置に供給することができる。さらに、この制御装置３０は、出力すべき第３の制御量φ＿３＿ｉの最大値および最小値の設定値を考慮することができる。ここに示す例では、出力すべき制御量の最大値としてゼロの値が設定されている。つまり、電流調整器３−ｉは、第１および第２の制御量φ＿１、φ＿２のみを減少させることができる。最小値としては、例えば、第２の制御量φ＿２と、第１の制御量φ＿１との間の負の差を設定することができる。これにより、電流調整器３−ｉの制御装置は、第３の制御量φ＿３＿ｉを生成し出力する。また、コンパレータ３１、または他の適切な装置を用いて、出力された第３の制御量φ＿３＿ｉがゼロから相違するかを検査することができる。この場合、電流調整器３−ｉはアクティブであり、コンパレータ３１は対応する信号Ａを出力する。
【００２８】
直流電圧変換器モジュール４−ｉを駆動制御するために、第１の制御量φ＿１および第２の制御量φ＿２が合計され、この合計に、電流調整器３−ｉのうち１つの第３の制御量φ＿３＿ｉが加算される。このようにして形成された、３つの制御量の合計は、対応する直流電圧変換器モジュール４−ｉに供給される。このように、全ての直流電圧変換器モジュール４−ｉに共通して算出された第１の制御量φ＿１、第２の制御量φ＿２、および、直流電圧変換器モジュール４−ｉに対応付けられた電流調整器３−ｉによって生成された個別の第３の制御量φ＿３＿ｉから、各直流電圧変換器モジュール４−ｉに対して個別の第３の制御量φ＿３＿ｉが算出される。これにより、各直流電圧変換器モジュール４−ｉは、適切な制御量で個別に駆動制御することができる。ここで、第１の制御量φ＿１、第２の制御量φ＿２、およびそれぞれの第３の制御量φ＿３＿ｉがそれぞれ加算され、次いで、対応する直流電圧変換器モジュール４−ｉに供給される。
【００２９】
少なくとも１つの電流調整器３−ｉがアクティブでない限り、つまり、少なくとも１つの電流調整器３−ｉが第３の制御量φ＿３＿ｉとしてゼロの値を出力する限り、直流電圧変換器モジュール４−ｉの制御は、前述のように実行することができる。
【００３０】
全ての電流調整器３−ｉが同時に非ゼロの制御量φ＿３＿ｉを出力し、ひいては全ての直流電圧変換器モジュール４−ｉにおける電流の制限が実施される場合、電圧調整器２は、電流調整器３−ｉと同じ方向にのみ第２の制御量φ＿２を補正する。このため、電流調整器３−ｉがアクティブであるかを示す上述の信号を、電圧調整器２に供給することができる。その後、電圧調整器２は、全ての電流調整器３−ｉが電流制限を実施しているかを検査することができる。この場合、制御は電流調整器２によって適宜適合することができるため、電流調整器２は、第１の制御量φ＿１を電流調整器３−ｉの第３の制御量φ＿３＿ｉと同じ方向に変化させる第２の制御量φ＿２のみを出力する。
【００３１】
図５は、複数の直流電圧変換器モジュール４−ｉを備える直流電圧コンバータの制御方法に基づいた、フローチャートの概略図を示す。ステップＳ１において、第１の制御量φ＿１が生成される。第１の制御量φ＿１は、特に、直流電圧コンバータの出力電圧の閾値Ｕ＿ｄｅｓと、直流電圧コンバータの入力電圧の値Ｕ＿ｃｕｒとに基づいて算出される。ステップＳ２では、第２の制御量φ＿２が生成される。第２の制御量φ＿２は、特に、直流電圧コンバータの出力電圧の閾値Ｕ＿ｄｅｓと、直流電圧コンバータの出力電圧の算出値Ｕ＿ｃｕｒとに基づいて生成される。ステップＳ３では、複数の第３の制御量φ＿３＿ｉが生成される。第３の制御量φ＿３＿ｉは、それぞれ直流電圧変換器モジュール４−ｉに対応付けられている。第３の制御量φ＿３＿ｉは、対応付けられた各直流電圧変換器モジュール４−ｉに対し、それぞれの対応付けられた直流電圧変換器モジュール４−ｉにおける電流の閾値ｌ＿ｄｅｓ＿ｉと、それぞれ対応付けられた直流電圧変換器モジュール４−ｉにおける電流の算出値ｌ＿ｉに基づいて生成される。ステップＳ４では、直流電圧変換器モジュール４−ｉが、直流電圧変換器モジュール４−ｉの第１の制御量φ＿１、第２の制御量φ＿２、およびそれぞれ対応付けられた第３の制御量φ＿３＿ｉの組み合わせによって駆動制御される。ここで、第１の制御量φ＿１、第２の制御量φ＿２、および第３の制御量φ＿３＿ｉの組み合わせは、特に、３つの制御量の合計を含むことができる。
【００３２】
要約すると、本発明は、複数の並列接続された直流電圧変換器モジュールを備えた直流電圧コンバータの制御に関する。ここで、全ての直流電圧変換器モジュールを制御するために、電圧制御のための共通の量が形成される。さらに、各直流電圧変換器モジュールに対し、別々の電流調整器が設けられる。各直流電圧変換器モジュールに対し、個別に算出された電流調整、および共通で算出された電圧調整から制御量を形成することができる。
【図１】
2019530426.tif 000003
【図２】
2019530426.tif 000004
【図３】
2019530426.tif 000005
【図４】
2019530426.tif 000006
【図５】
2019530426.tif 000007
【国際調査報告】
2019530426.tif 000008
2019530426.tif 000009
2019530426.tif 000010
2019530426.tif 000011
2019530426.tif 000012
2019530426.tif 000013